(57)【要約】【課題】現像剤中のトナー濃度及び帯電の自律的制御の応答性を改善し、しかも、濃度ムラのない均一な現像性が得られる。【解決手段】現像剤担持体１に隣接し且つ規制部材２の上流側にて現像剤Ｇを収容する現像剤収容部３と、この現像剤収容部３を介して現像剤担持体１と連通して設けられ且つトナーＴを供給可能に収容するトナー収容部４と、現像剤収容部３内に設けられて現像剤担持体１に接触又は近接して回転し且つ現像剤収容部３内の現像剤Ｇに対し回転力を与えた状態でトナー収容部４からのトナーＴを現像剤収容部３に取り込む回転部材５とを備え、磁界発生手段１０の磁極１１のうち、回転部材５に最近接する磁極１１（例えば１１ｃ）による磁力パターンが、現像剤担持体１と回転部材５との対向位置Ｑに対して現像剤担持体１上の現像剤搬送方向下流側に偏位配置される。【選択図】  図１
2004198661.tif 000002
【特許請求の範囲】
【請求項１】
内部に磁界発生手段を具備し且つトナーと磁性キャリアとが含まれる二成分現像剤を搬送担持する現像剤担持体と、
この現像剤担持体上に搬送される現像剤量を規制する規制部材と、
前記現像剤担持体に隣接し且つ規制部材の上流側にて現像剤を収容する現像剤収容部と、
この現像剤収容部を介して前記現像剤担持体と連通して設けられ且つトナーを供給可能に収容するトナー収容部と、
前記現像剤収容部内に設けられて現像剤担持体に接触又は近接して回転し且つ現像剤収容部内の現像剤に対し回転力を与えた状態でトナー収容部からのトナーを現像剤収容部に取り込む回転部材とを備え、
前記磁界発生手段の磁極のうち、回転部材に最近接する磁極による磁力パターンが、現像剤担持体と回転部材との対向位置に対して現像剤担持体上の現像剤搬送方向下流側に偏位配置されることを特徴とする現像装置。
【請求項２】
請求項１記載の現像装置において、
前記磁界発生手段の磁極のうち、回転部材に最近接する磁極による磁力パターンは、その磁束密度の法線方向成分がピークである位置が現像剤担持体と回転部材との対向位置よりも下流側に位置するものであることを特徴とする現像装置。
【請求項３】
請求項１記載の現像装置において、
前記磁界発生手段の磁極のうち、回転部材に最近接する磁極による磁力パターンは、その磁束密度の接線方向成分が０である位置が現像剤担持体と回転部材との対向位置よりも下流側に位置するものであることを特徴とする現像装置。
【請求項４】
請求項１記載の現像装置において、
回転部材は磁性を有することを特徴とする現像装置。
【請求項５】
請求項１記載の現像装置において、
回転部材がロール状部材で、その表面を粗面化したものであることを特徴とする現像装置。
【請求項６】
像担持体と、この像担持体上の静電潜像を可視像化する現像装置とを備えた画像形成装置において、
前記現像装置として、請求項１記載の現像装置を使用したことを特徴とする画像形成装置。
【発明の詳細な説明】
【０００１】
【発明の属する技術分野】
本発明は、像担持体上に形成される静電潜像を可視像化する現像装置に係り、特に、トナーとキャリアとが含まれる二成分現像剤を用い、かつ、トナー濃度検知手段を用いずにトナー濃度を自律的に制御可能な現像装置及びこれを用いた画像形成装置の改良に関する。
【０００２】
【従来の技術】
一般に、電子写真方式等の画像形成装置で用いられる現像装置としては、感光体ドラム等の像担持体上に形成された静電潜像を現像剤にて可視像化するものが知られている。
この種の現像装置には、現像剤として、トナー及びキャリアが含まれる二成分現像剤を用いる態様、あるいは、トナーのみが含まれる一成分現像剤を用いる態様があるが、二成分現像剤を使用する態様にあっては、トナーの消費量が進むにつれてトナー濃度が低下するため、トナー濃度を維持する上で定期的にトナー補給が行われる。
このようなトナー補給は、例えばトナー濃度検知センサによりトナー濃度を検知し、この検知情報に基づいてトナー濃度が低下したと判断したときに行われる。
【０００３】
ところが、この種の方式にあっては、トナー濃度検知センサによりトナー濃度を検知しなければならないため、トナー濃度検知センサが必要不可欠であるばかりか、検知対象の濃度パッチを作成する等、トナー濃度の検知システムが面倒であるという不具合がある。
そこで、このような不具合を解決する先行技術として、トナー濃度検知センサを用いずに、現像剤の動きによってトナーを取り込み、トナー濃度を自律的に制御するようにした現像装置が既に提供されている。
【０００４】
この種の先行技術の代表的態様としては、例えば特許文献１所載のものがある。
これは、現像スリーブ上に磁性粒子層を形成し、容器内のトナー供給部においてこの磁性粒子層に接触するようにトナーを収容し、現像スリーブの回転に伴う磁性粒子層の磁性粒子の移動によって上記トナー供給部で磁性粒子層内にその外側のトナー層からトナーを取り込み、トナーと磁性粒子の混合された現像剤を規制部材で層厚規制して現像部に搬送する現像装置である。
ここで、現像スリーブ内に固定された磁石は上記トナー供給部に対向する磁極を持たず、現像スリーブ回転方向に関して上記トナー供給部の下流側、かつ、上記規制部材の上流側に磁極を持ち、上記磁極の磁界が及ぶ範囲内の位置に現像スリーブと対向して設けられ、現像スリーブとの間に磁性粒子層の充満した領域を形成する遮蔽部材を有することを特徴としている。
【０００５】
また、特許文献２では、内部に磁界発生手段を有し、トナーとキャリアとを含む二成分現像剤を担持搬送する現像剤担持体と、この現像剤担持体上の現像剤量を規制する第１の規制部材と、第１の規制部材よりも上流側に設けられ且つトナー濃度の上昇に伴う現像剤層厚の増加分を通過させる第２の規制部材と、第１の規制部材と第２の規制部材との間に設けられる現像剤収容部と、この現像剤収容部に隣接し、現像剤担持体にトナーを供給するトナー収容部とを備え、現像剤担持体上のトナー濃度の変化により、該現像剤とトナーとの接触状態を変化させ、現像剤担持体上の現像剤のトナーの取り込み状態を変化させ、トナー供給を常時一定に自己制御する技術が開示されている。
【０００６】
更に、特許文献３では、内部に磁界発生手段を有し、トナーとキャリアとを含む二成分現像剤を担持して搬送する現像剤担持体と、該現像剤担持体上の現像剤量を規制する規制部材と、該規制部材で掻き取られた該現像剤を収容する現像剤収容部と、該現像剤収容部に隣接し、該現像剤担持体上の該現像剤に接触して取り込まれるようにトナーを収容するトナー収容部とを備え、更に、該現像剤収容部に、該現像剤担持体に接触又は近接して該現像剤担持体と同一回転方向に回転する回転部材を備え、該回転部材を該現像剤収容部内の該現像剤担持体の表面移動方向で最も上流側の位置に配設し、上流側のトナー収容部からのトナー供給を安定化させる技術が開示されている。
【０００７】
更にまた、特許文献４では、現像剤担持体と、この現像剤担持体上の現像剤量を規制する第１の規制部材と、この第１の規制部材の上流側に設けられて現像剤担持体上に現像剤量を規制する第２の規制部材と、第１及び第２の規制部材間に設けられて第１の規制部材で掻き落とされた現像剤を収納する現像剤収納部と、この現像剤収納部に隣接し、前記現像剤担持体に補給するトナーを収納するトナー収納部と、このトナー収納部と前記現像剤収納部とを連絡して、前記トナー収納部内のトナーを取り込んでトナー濃度を適性化する現像剤循環部を形成するトナー補給路と、そのトナー補給路に設けて前記現像剤循環部を攪拌する攪拌部材とを備え、トナー濃度による現像剤の嵩変動を利用し、トナー濃度の適性化を図る技術が開示されている。
また、特許文献５では、現像剤担持体と、この現像剤担持体上の現像剤量を規制する規制部材と、該規制部材で阻止された現像剤が滞留する現像剤滞留部と、この現像剤滞留部と連通する空間であるトナー補給口と、このトナー補給口を介して現像剤滞留部に隣接するトナー収容部とを備え、前記トナー補給口内にトナー攪拌部材を設け、現像剤中に安定的にトナーを供給する技術が開示されている。
【０００８】
【特許文献１】
特公平５−６７２３３号公報（発明の概要，第１図）
【特許文献２】
特開平９−１９７８３３号公報（課題を解決するための手段，第１図）
【特許文献３】
特開２００１−１１７３７０号公報（課題を解決するための手段，第２図）
【特許文献４】
特開２０００−６６４９７号公報（課題を解決するための手段，第１図）
【特許文献５】
特開２０００−２７５９３９号公報（課題を解決するための手段，第１図）
【０００９】
【発明が解決しようとする課題】
しかしながら、特許文献１〜３にあっては、トナーの取り込み方式は現像剤担持体（又は現像スリーブ）上の現像剤層にトナーを接触させてトナーを供給するものであるため、以下のような技術的課題がある。
例えば特許文献１にあっては、確かに、トナー濃度の調整を容易に行うことは可能かも知れない。
ところが、現像スリーブ上の現像剤層が厚いと、供給されたトナーが現像剤に均一に拡散し分散するまでに時間がかかり、トナー消費量の急激な変化に対して安定的なトナー供給攪拌ができず、地肌汚れや濃度維持が出来なくなる虞れがある。
【００１０】
また、特許文献２にあっても、トナー濃度の均一化を図るため、現像剤の循環によりトナーが拡散されるが、全体が均一になるまでの時間がある程度必要とされるために、急激なトナー消費量の変化（画像濃度変化）に対してトナー取り込みと停止動作との切り替わりの応答性が遅い場合がある。応答性が遅いと、トナー消費側でトナー消費量が急激に増加した場合にはトナー濃度が低下して、高い画像面積の濃度を確保できず、画像濃度が薄くなる虞れがある。また、トナー消費量が急激に減少した場合にはトナー濃度が上昇して、地肌汚れ、濃度過多になる虞れがある。
【００１１】
更に、特許文献３にあっては、確かに、トナーの取り込みの応答性についてはある程度改善されているが、トナーの均一分散が不十分になる虞れがある。
つまり、層規制された現像剤は現像剤担持体により現像部に運ばれ再び現像装置内に搬送され、トナー供給部でトナーに接触しトナーを取り込み、現像剤収容部に戻るが、層規制された現像剤層は磁力により強く現像剤担持体に吸着しているため、現像剤収容部の現像剤との入れ替わりが不十分となる。このため、取り込まれたトナーとキャリアとの攪拌による摩擦帯電が充分でなく、ハーフトーンなどの画像を形成する場合には、もやもやした濃度ムラが発生し易くなってしまう。
いずれにせよ、トナー濃度が低下してトナーを取り込む際には、現像剤担持体上の現像剤層に直接トナーが供給され、供給されたトナーが充分に攪拌されずに現像部に再度搬送される蓋然性が高く、濃度ムラがより発生し易いという虞れがある。
【００１２】
また、特許文献４にあっては、現像剤担持体とトナー収納部との間にトナー濃度を適正化する現像剤循環部として形成されるトナー補給路を設け、このトナー補給路内に攪拌部材を配設しているため、以下のように作動する。
すなわち、例えば現像剤中のトナー濃度が適正範囲内であれば、トナー補給路内に現像剤滞留部を形成し、現像剤とトナーとが接しているところで、トナーの取り込みを阻止する。
一方、トナーが消費されて現像剤中のトナー濃度が適正範囲外になると、現像剤の嵩が減少して現像剤滞留部を減少し、その分、トナーを現像剤循環部に取り込む。そして、次第に現像剤の嵩を増大し、再び現像剤滞留部を形成してトナーの取り込みを中断する。
このとき、攪拌部材は、現像剤循環部を一様に活発な循環状態に保ち、また、現像剤滞留部にブリッジが形成されるのを阻止し、更に現像剤が局部的に消費されるのを防ぐ。
【００１３】
この特許文献４においては、現像剤担持体に均一にトナーを取り込む工夫があるが、トナーが消費されて再び第１の規制部材と第２の規制部材との間に形成される現像剤収容部の現像剤中のトナー濃度が適正範囲外となると、該現像剤の嵩が減少してトナー補給路の入口の現像剤滞留部を減少させ、トナーを第２の規制部材の手前に空間を設けて形成する現像剤循環部に取り込む。そして、次第に現像剤の嵩が増大すると、再び現像剤滞留部を形成してトナーの取り込みを中断する。
このように、現像剤収容部と現像剤循環部の現像剤は第２の規制部材により実質上隔てられており、急激なトナー消費が起きた場合に、トナーの取り込み応答性が悪くなるという虞れがある。
【００１４】
また、特許文献５においては、現像剤滞留部とトナー収容部とを連結するトナー補給口でトナーを攪拌するため、現像剤滞留部に面したトナーが供給し易くなってはいるが、現像剤滞留部中のトナー濃度変化に対してトナーが迅速に取り込まれる事はなく、急激なトナー消費に対しては、トナーの取り込み応答性が不充分になり易いという技術的課題が見られる。
【００１５】
このような不具合を改善するために、本件出願人は、先に、現像剤担持体に隣接し且つ規制部材の上流側にて現像剤を収容する現像剤収容部と、この現像剤収容部を介して現像剤担持体と連通して設けられ且つトナーを供給可能に収容するトナー収容部と、前記現像剤収容部内に設けられて現像剤担持体に接触又は近接して回転し且つ現像剤収容部内の現像剤に対し回転力を与えた状態でトナー収容部からのトナーを現像剤収容部に取り込む回転部材とを備え、回転部材による現像剤搬送力によりトナーを回転部材の搬送方向に沿って取り込むものを提案した（例えば特願２００２−０７９２３４号参照）。
【００１６】
ところが、この提案において、更に回転部材近傍の現像剤搬送力について検討したところ、回転部材近傍の現像剤搬送力は回転部材に略対向する現像剤担持体内部の磁極配置に大きく依存することが判明した。
具体的には、回転部材に略対向する現像剤担持内部の磁極配置によっては、現像剤搬送力が不十分になる懸念があり、例えば現像剤搬送力が不十分であると、トナー消費量の急激な変化に対して供給されたトナーが現像剤に均一に拡散し分散するまでに時間がかかり、安定的なトナー供給攪拌ができず、地肌汚れや濃度維持が出来なくなる虞れがある。
【００１７】
本発明は、以上の技術的課題を解決するためになされたものであって、現像剤中のトナー濃度及び帯電の自律的制御に関する応答性を改善し、しかも、濃度ムラのない均一な現像性が得られる現像装置及びこれを用いた画像形成装置を提供するものである。
【００１８】
【課題を解決するための手段】
すなわち、本発明は、図１に示すように、内部に磁界発生手段１０を具備し且つトナーＴと磁性キャリアＣ（図２，図３参照）とが含まれる二成分現像剤Ｇを搬送担持する現像剤担持体１と、この現像剤担持体１上に搬送される現像剤量を規制する規制部材２と、前記現像剤担持体１に隣接し且つ規制部材２の上流側にて現像剤Ｇを収容する現像剤収容部３と、この現像剤収容部３を介して前記現像剤担持体１と連通して設けられ且つトナーＴを供給可能に収容するトナー収容部４と、前記現像剤収容部３内に設けられて現像剤担持体１に接触又は近接して回転し且つ現像剤収容部３内の現像剤Ｇに対し回転力を与えた状態でトナー収容部４からのトナーＴを現像剤収容部３に取り込む回転部材５とを備え、前記磁界発生手段１０の磁極１１（例えば１１ａ〜１１ｄ）のうち、回転部材５に最近接する磁極１１（例えば１１ｃ）による磁力パターンが、現像剤担持体１と回転部材５との対向位置Ｑに対して現像剤担持体１上の現像剤搬送方向下流側に偏位配置されることを特徴とするものである。
【００１９】
このような技術的手段において、現像剤担持体１は、内部に磁界発生手段１０を具備し、二成分現像剤Ｇを担持搬送するものであれば適宜選定して差し支えなく、代表的には、回転可能な非磁性スリーブと、このスリーブ内に固定的に配設される磁石部材とを具備した磁石ロール態様が多く用いられる。
また、規制部材２は、現像剤担持体１上の現像剤量を規制するものであれば、ブレード、ロール等適宜選定して差し支えなく、そのレイアウトについても任意に選定することができる。
更に、トナー収容部４には、通常はトナーＴのみが収容されるが、トナーＴを供給可能という要件を満たすのであれば、例えば現像剤収容部３に収容されるトナー濃度よりも高いトナー濃度の現像剤Ｇを収容した態様も含む。
【００２０】
また、現像剤収容部３とトナー収容部４とは連通していればどのような位置関係にあってもよい。
但し、トナー収容部４は「トナーを供給可能」であることを要件としており、内部にトナー供給部材を設ける態様に限らず、例えばトナー収容部４を現像剤収容部３より上方に配置し、自重によりトナーＴを下方へ移動させる態様をも含む。
この場合、そもそもトナーＴとキャリアは比重が異なるので、トナーＴは重力に対して上方に浮いてしまう。このため、特に非磁性の場合には、現像剤ＧにトナーＴを接触させ取り込ませるにはトナー収容部４から適度な押し圧を必要とする。
尚、押し圧が足らない場合には、重力でトナーＴは現像装置内壁に自重で溜まり、現像剤Ｇとの接触は不安定である。一方、押し圧が強すぎると、ブロッキングと呼ばれるトナーＴの固まりが生じ、トナー供給阻害、現像剤Ｇ中への分散不良による画質異常が発生する。
【００２１】
更にまた、トナー収容部４は「現像剤収容部３を介して前記現像剤担持体１と連通して設けられる」ということを要するが、これは、トナー収容部４が現像剤担持体１と隣接しておらず、両者間に現像剤収容部３が介在していることを意味する。
これにより、トナー収容部４のトナーＴが直接現像剤担持体１上のごく近傍の現像剤Ｇに接触せず、あくまで、現像剤収容部３内の現像剤Ｇを介して現像剤担持体１側に供給される。
この場合において、現像剤収容部３内には回転部材５が配設されているため、トナー収容部４のトナーＴは回転部材５近傍の現像剤Ｇと接触し、回転部材５による現像剤搬送力でもってトナーＴを回転部材５の搬送方向に沿って取り込む。
【００２２】
また、回転部材５としては、近傍の現像剤Ｇを回転方向に搬送するものであれば、ロール、ブラシ、パドル等適宜選定してよい。
但し、例えば画像欠陥であるバンディング防止という観点からすれば、回転部材５はロール状であることが好ましい。
この回転部材５の働きは、回転部材５の近傍の現像剤Ｇを回転方向に搬送することであるが、該現像剤Ｇはトナー濃度に応じて流動挙動が変化し、この流動挙動の変化を利用して、該現像剤Ｇと接触するトナーＴを取り込むものである。
【００２３】
更に、回転部材５の好ましい態様としては、回転部材５が磁性を有するものである態様が挙げられ、代表的には磁性ロール（軟磁性部材を使用するものが好ましい）であるが、磁性ブラシ、磁性パドルをも含まれる。
このような磁性回転部材５を使用すると、現像剤担持体１内の磁界発生手段１０により磁性回転部材５が磁化され、磁性回転部材５の回転に伴って現像剤Ｇのキャリアチェーンによる回転をより促進させることができる。
この結果、現像剤Ｇの回転搬送挙動をより活発にすることができる。
【００２４】
また、回転部材５の好ましい他の態様としては、回転可能な非磁性スリーブと、このスリーブ内に固定的に配設される磁石部材とを具備した磁石ロールであるものが挙げられる。
本態様においては、回転部材５の磁化のため、現像剤担持体１の磁界発生手段１０からの磁界、及び、回転部材５からの磁界の相互作用により、回転部材５の回転に伴って現像剤Ｇのキャリアチェーンによる回転をより促進させることができる。
【００２５】
また、トナー収容部４の構造については適宜選定して差し支えないが、トナー収容部４が現像剤収容部３と略同一水平位置に並設される態様において、トナー収容部４の好ましい態様としては、トナー収容部４から現像剤収容部３に向けてトナーＴを供給するために、収容トナーＴを送り出すための要素が通常必要であり、例えば、トナー収容部４には現像剤収容部３に向けてトナーＴが押圧せしめられる押圧搬送部材を配設することが好ましい。
【００２６】
更に、回転部材５の回転方向については適宜選定して差し支えないが、現像剤収容部３への現像剤Ｇの溜まり状態を確保するという観点からすれば、回転部材５の表面移動方向は、現像剤担持体１の対向部にて現像剤担持体１の表面移動方向と同一方向であることが好ましい。
また、現像剤収容部３の好ましい態様としては、回転部材５にて搬送される現像剤Ｇの搬送量が規制せしめられる補助規制部材６を具備させることが好ましい。
この補助規制部材６は、現像剤収容部３に現像剤溜まりを形成し易くする、現像剤担持体１と回転部材５との間の現像剤ジャミングを防止する、未帯電トナーＴが直ちに現像剤担持体１に搬送される事態を回避する、という各種働きをする。
更に、補助規制部材６の好ましいレイアウトとしては、回転部材５と補助規制部材６との間のギャップは、現像剤担持体１と回転部材５との間のギャップよりも小さく設定されていることが好ましい。
このように、ギャップの大小関係は、現像剤収容部３での現像剤溜まりをより確実に形成する上で好ましい。
【００２７】
また、回転部材５がロール状部材である際の好ましい態様としては、ロール状部材の表面を粗面化したものであることが好ましい。
ここでいう「粗面化」は、サンドブラスト等各種の手法を採用したもので差し支えなく、粗面化することで、表面部での現像剤Ｇのすべりを抑え、現像剤Ｇの搬送性を確保することができる。
更に、現像剤担持体１へのトナーＴの供給性を高めるという観点、また、回転部材５のトナー固着からすれば、回転部材５には現像剤担持体１側へトナーＴが転移せしめられる方向のバイアスを印加したことが好ましい。
【００２８】
更にまた、現像剤収容部３における現像剤Ｇの挙動としては、回転部材５による現像剤Ｇの回転搬送に加えて、規制部材２による現像剤Ｇの掻き取りに伴う挙動があるが、後者の現像剤Ｇ挙動に伴って、現像剤収容部３の現像剤Ｇがトナー収容部４のトナーＴに混入しないように、現像剤収容部３の規制部材２に隣接した箇所にせき止め部材を具備させることが好ましい。
特に、例えば規制部材２により掻き取られる現像剤Ｇの挙動が激しく、現像剤ＧへのトナーＴの取り込みが過剰になるような条件下では、現像剤収容部３の規制部材２に隣接した箇所には、回転部材５に対向するせき止め部材を具備させ、規制部材２により掻き取られた現像剤Ｇの挙動に基づくトナーＴの取り込み過剰を抑制するようにすることが好ましい。
【００２９】
また、磁界発生手段１０の磁極１１のうち、回転部材５に最近接する磁極１１（例えば１１ｃ）による磁力パターンには、磁束密度の法線方向成分、接線方向成分のいずれをも含む。
このような対象磁極１１（１１ｃ）の磁力パターンが現像剤担持体１と回転部材５との対向位置Ｑに対して現像剤搬送方向下流側に偏位配置されると、前記磁力パターンが回転部材５によるトナー供給の応答性をアシストするものと推測される。
ここで、対象磁極１１（１１ｃ）による磁力パターンの代表的態様としては、対象磁極１１（１１ｃ）による磁力パターンの磁束密度の法線方向成分がピークである位置が現像剤担持体１と回転部材５との対向位置Ｑよりも下流側に位置する態様や、あるいは、対象磁極１１（１１ｃ）による磁力パターンの磁束密度の接線方向成分が０である位置が現像剤担持体１と回転部材５との対向位置Ｑよりも下流側に位置する態様が挙げられる。
【００３０】
更に、本件は、上述した現像装置に限られるものではなく、画像形成装置をも対象とする。
この場合、本発明は、像担持体７と、この像担持体７上の静電潜像Ｚを可視像化する現像装置８とを備えた画像形成装置において、前記現像装置８として、上述した現像装置８を使用するようにすればよい。
【００３１】
次に、本発明に係る現像装置の動作原理を図２〜図４に基づいて説明する。
今、図２（ａ）に示すように、回転部材５（例えば磁性ロール又は磁石ロール）近傍の現像剤溜まりのトナー濃度TCが高い場合、透磁率が低下し、キャリアチェーンCCが短くなる。
このとき、回転部材５近傍の現像剤Ｇは回転部材５による回転力にて搬送/攪拌されるが、搬送/攪拌される現像剤Ｇの層厚が小さくなる。
すなわち、キャリアチェーンCCにおいては、図３に示すように、キャリアＣ間にあるトナーＴがコロの役目をし、剪断力が伝わり難いため、回転部材５近傍の現像剤層（図３中ｍで示す内側に位置する現像剤層）は流動するが、この流動層Ｇ1の更に外側の現像剤層は磁力の影響を受けづらく搬送されない。これにより、トナー収容部４近傍の現像剤Ｇが停滞して不動層Ｇ2となり、現像剤ＧとトナーＴが接触していてもトナーＴの取り込みが発生しなくなる。
また、トナー濃度TCが高い場合、現像剤Ｇの嵩密度の上昇により現像剤Ｇの体積が上昇し、現像剤溜まり近傍空間を現像剤Ｇが埋め、トナーＴの供給を阻害する効果も手伝っている。
【００３２】
一方、回転部材５近傍の現像剤溜まりのトナー濃度TCが低い場合には、図２（ｂ）に示すように、現像剤Ｇの透磁率が上昇し、キャリアチェーンCCが長くなる。
このとき、回転部材５近傍の現像剤Ｇは回転部材５による回転力にて搬送/攪拌されるが、搬送/攪拌される現像剤Ｇの層厚が前記場合に比べ大きくなる。
すなわち、キャリアチェーンCCにおいては、図４に示すように、キャリアＣ間にあるトナーＴが少ないため、コロとしての役目が弱く、キャリアＣ間に剪断力が伝わり易い。このため、回転部材５近傍のみならず、図４中ｍで示すように、回転部材５からある程度離間した部位まで現像剤層は流動する。
ここで、現像剤Ｇのトナー濃度TCに応じ流動層Ｇ1が現像剤ＧとトナーＴ界面まで、及び、トナー収容部４近傍の現像剤Ｇは回転部材５の回転方向に流動し、現像剤Ｇと接触するトナーＴが現像剤Ｇに取り込まれる。尚、流動層Ｇ1の外側の現像剤層は不動層Ｇ2である。
また、現像剤Ｇの嵩密度の低下により現像剤Ｇの体積が減少し、現像剤溜まり近傍空間が空き、空いた空間にトナーＴが供給され埋まり、トナーＴは取り込み易くなる効果も手伝っている。
以上のメカニズムで現像剤Ｇのトナー濃度TCが自律的に制御される。
【００３３】
次に、磁界発生手段１０の磁極１１（例えば１１ａ〜１１ｄ）のうち、回転部材５に最近接する磁極１１（例えば１１ｃ）による磁力パターンが、現像剤担持体１と回転部材５との対向位置Ｑに対して現像剤担持体１上の現像剤搬送方向下流側に偏位配置されている態様によるトナー取込み応答性が向上する原理について説明する。
今、比較の態様として、磁界発生手段１０の磁極１１（１１ａ，１１ｂ，１１ｃ’，１１ｄ）のうち、対象磁極１１（例えば１１ｃ’）による磁力パターンが前記対向位置Ｑに対して現像剤搬送方向上流側に偏位配置される場合を想定すると、図５（ｂ）に示すように、回転部材５の回転により回転部材５近傍の現像剤Ｇが搬送され、現像剤担持体１と回転部材５との対向位置Ｑを通過する際、前記対象磁極１１（１１ｃ’）の磁場（太実線：磁束密度の法線方向成分，太点線：磁束密度の接線方向成分）により、通過現像剤Ｇは磁極１１（１１ｃ’）に引き付けられる力を受ける。
このため、回転部材５の搬送力を打ち消しあうような力が働き、結果として現像剤搬送量が著しく低下してしまう。また、この効果はトナー濃度TCが低い場合に、現像剤Ｇの透磁率が上昇するためにより顕著に現れる。
これにより、特にトナー濃度TCが低いとき、現像剤搬送力よってトナーＴを回転部材５の搬送方向に沿って取り込むことが阻害される。
【００３４】
一方、本発明の態様にあっては、磁界発生手段１０の磁極１１（１１ａ〜１１ｄ）のうち、対象磁極１１（例えば１１ｃ）による磁力パターンが前記対向位置Ｑに対して現像剤搬送方向下流側に偏位配置されるため、例えば図５（ａ）に示すように、回転部材５の回転により回転部材５近傍の現像剤Ｇが搬送され、現像剤担持体１と回転部材５との対向位置Ｑを通過する際、前記対象磁極１１（１１ｃ）の磁場により、通過現像剤Ｇは対象磁極１１（１１ｃ）に引き付けられ、現像剤Ｇの搬送方向に向かう力を受ける。
このため、回転部材５の搬送力との合力で、前記対向位置Ｑでの現像剤Ｇの通過が促進され、結果として現像剤搬送量が向上する。また、この効果はトナー濃度TCが低い場合に、現像剤Ｇの透磁率が上昇するためにより顕著に現れる。
これにより、特にトナー濃度TCが低いとき、現像剤搬送力によってトナーＴを回転部材５の搬送方向に沿って取り込む応答性が向上する。
【００３５】
尚、例えば図５（ｂ）において、対象磁極１１（１１ｃ’）による磁力分布が前記対向位置Ｑを中心に略均等配分されている態様にあっては、この対象磁極１１（１１ｃ’）による磁場により、対向位置Ｑを通過する通過現像剤Ｇは対象磁極１１（１１ｃ’）に引き付けられるが、現像剤Ｇの通過を促進する方向には寄与しないものである。
【００３６】
また、対象磁極１１（例えば１１ｃ）による磁力パターンを規定する上で、磁束密度の法線方向成分若しくは接線方向成分に着目することが好ましい理由を以下に述べる。
すなわち、現像剤担持体１と回転部材５との対向部近傍では、図１及び図５（ａ）に示すように、現像剤担持体１内の磁界発生手段１０の磁極１１（例えば１１ｃ）が略対向して配置されている。
ここで、現像剤担持体１の代表的態様として、周囲に複数の磁極１１が配列されて固定設置される磁石ロールと、この磁石ロールの周囲に回転する非磁性スリーブとを備えたものを例に挙げると、現像剤担持体１上に磁気的に吸着している現像剤Ｇが受ける力には、磁気吸引力（磁力）、現像剤担持体１（具体的にはスリーブ）の搬送に伴う摩擦力（現像剤担持体１表面直上にある現像剤Ｇの場合）、重力がある。
また、現像剤担持体１直上から現像剤粒子を介して磁気的に吸着している現像剤Ｇでは、現像剤担持体１（具体的にはスリーブ）からの摩擦力による搬送力ではなく、現像剤担持体１直上の現像剤粒子との摩擦力による搬送力を受ける。
尚、磁気吸引力は、現像剤粒子の磁気モーメントをｍで、磁束密度をＢで表わすと、磁気吸引力Ｆ＝（ｍ・∇）Ｂ（但し、ｍ，Ｂはベクトル）で表わせる。
【００３７】
図７（ａ）は現像剤担持体１（具体的にはスリーブ）上の磁束密度分布で、法線方向成分Ｂnと接線方向成分Ｂtとを表わしている。尚、横軸ｘは現像剤担持体１（具体的にはスリーブ）表面の周方向の距離である。
このとき磁気吸引力（磁力）は、図６（ａ）に示すように、（１）式、（２）式で表される。
ここで、ｎ，ｔはそれぞれｘ方向、ｙ方向、即ち、スリーブ表面の接線方向と法線方向の磁束密度成分を表わす。
また、粒子の磁気モーメントは現像剤粒子が軟磁性体とみなせるので磁束密度に比例すると仮定してもよく、図６（ａ）に示す（１）式、（２）式は、図６（ｂ）に示すように、（３）式、（４）式で表される。
【００３８】
従って、接線方向の磁気吸引力Ｆtは、例えば図６（ｂ）（３）式に示すように、二つの項で決まる。
第１項は、図７（ｂ）に示すように、磁束密度の接線方向成分曲線の傾きに比例し、磁束密度の接線方向成分が０となるポイントから遠ざかる方向に力が作用する。
第２項は、図７（ｃ）に示すように、磁束密度の接線方向成分における法線方向の変化率に比例し、磁束密度の接線方向成分が０となるポイントに向かって力が作用する。
通常の使用範囲では、第２項の寄与が大きく、現像剤は磁束密度の接線方向成分が０となるポイントに向かって集まる傾向を示す。
【００３９】
一方、法線方向の磁気吸引力Ｆnも同様に二つの項で決まる（図６（ｂ）（４）式参照）。
第１項は磁束密度の法線方向成分曲線の傾きに比例し、磁束密度の法線方向成分がピーク値となるポイントから遠ざかるほど大きな力がスリーブに吸着する向きに作用する。
第２項は、磁束密度の法線方向成分における法線方向の変化率に比例し、磁束密度の法線方向成分がピーク値となるポイントでスリーブに向かって最大の力が作用する。
通常の使用範囲では、第２項の寄与が大きく、現像剤Ｇは磁束密度の法線方向成分がピーク値となるポイントでスリーブに吸着する向きに最大の力が作用する。
【００４０】
現像剤粒子とスリーブ表面との摩擦力の影響により、法線方向の磁気吸引力Ｆnはスリーブ回転に伴う現像剤Ｇの搬送力に相関付けられる。
以上より、接線方向の磁気吸引力Ｆtの方向を議論するには、磁束密度の接線方向成分の分布が支配的であり、接線方向の磁気吸引力Ｆtの制御には磁束密度の接線方向成分を規定することが重要であることがわかる。
一方、搬送力という観点からは、磁束密度の法線方向成分を規定することが重要であることがわかる。
【００４１】
【発明の実施の形態】
以下、添付図面に示す実施の形態に基づいて本発明を詳細に説明する。
◎実施の形態１
図８は本発明が適用される画像形成装置の実施の形態１を示す説明図である。
同図において、画像形成装置は、例えば電子写真方式を採用したものであって、感光体ドラム２０と、この感光体ドラム２０上に形成された静電潜像を可視像化する現像装置３０とを備えている。
【００４２】
本実施の形態において、現像装置３０は、図８及び図９に示すように、感光体ドラム２０に向かって開口する現像ハウジング３１を有し、この現像ハウジング３１の開口に面して現像ロール３２を配設し、現像ハウジング３１の開口上縁には現像ロール３２上の二成分現像剤Ｇの層厚が規制せしめられる規制部材３３を設け、前記現像ハウジング３１のうち、現像ロール３２に隣接した部位には現像剤Ｇが収容される現像剤収容部３４と、この現像剤収容部３４を介して前記現像ロール３２に連通し且つトナーＴが収容されるトナー収容部３５とを形成したものである。
尚、本実施の形態では、現像剤ＧのトナーＴは例えば磁性トナーを用いるが、非磁性トナーを用いても差し支えない。
【００４３】
本実施の形態において、現像ロール３２は、図１０に示すように、回転可能な非磁性スリーブ３２１と、このスリーブ３２１の内部に固定的に配設された磁極ロール３２２とを備えている。
そして、磁極ロール３２２にはロール本体の周囲に所定角度間隔で複数の磁極（本例では４極：Ｓ1（現像極），Ｓ2（搬送極），Ｎ1（トリミング極），Ｎ2（搬送極））が配設されており、トナーＴ及びキャリア（磁性粉）が含まれる二成分現像剤Ｇが現像ロール３２の外周に磁気的に付着するようになっている。尚、磁極構成は任意であり、現像剤収容部３４に対向する部位に反発磁極を設け、現像ロール３２上の現像剤層を一旦剥離するようにしてもよい。
そして更に、スリーブ３２１には所定の現像バイアスＶBを印加するためのバイアス電源３２３が接続されている。
【００４４】
更に、規制部材３３は、例えばＳＵＳ３０４製の板材からなり、現像ロール３２との間に現像剤Ｇの層厚規制用ギャップｇ0（例えば３００〜６００μｍ）だけ離間配置されている。
そして、この規制部材３３のレイアウトについては適宜選定して差し支えないが、本実施の形態では、規制部材３３はトリミング極（本例ではＮ1）より僅かに上流側に配置されている。
【００４５】
また、現像剤収容部３４は現像剤Ｇが収容されるスペースを有し、現像剤収容部３４内のうち現像ロール３２に近接（又は接触）した部位に磁性ロール４０が回転自在に配設されている。
そして、本実施の形態では、現像剤収容部３４の底部形状は現像ロール３２及び磁性ロール４０に沿った湾曲形状を有しており、現像ロール３２、磁性ロール４０との間に所定間隔の現像剤搬送路を確保している。
特に、本実施の形態では、磁性ロール４０は軟磁性体（例えばＳＵＭ，ＳＵＳ４３０等）を用いたロールからなり、その表面粗さを例えばＲｚ１０〜３０μｍ（本例ではＲｚ２０μｍ）程度に粗面化したものになっている。
そして、この磁性ロール４０は、現像ロール３２の現像極Ｓ1の略反対側に位置する搬送極Ｓ2に略対向した部位に所定のギャップｇ1（例えば０．８〜１．２ｍｍ）だけ離間して配設されており、この磁性ロール４０の回転移動方向は、現像ロール３２（正確にはスリーブ３２１）の対向部にて現像ロール３２の回転移動方向と同一方向に設定されている。
【００４６】
特に、本実施の形態では、磁性ロール４０に最近接する磁極である搬送極Ｓ2による磁力パターンは、現像ロール３２と磁性ロール４０との対向位置Ｑに対し現像ロール３２上の現像剤搬送方向下流側に偏位配置されている。
具体的には、搬送極Ｓ2による磁力パターンは、その磁束密度の法線方向成分のピーク値が前記対向位置Ｑよりも下流側に位置する態様、あるいは、その磁束密度の接線方向成分が０になる位置が前記対向位置よりも下流側に位置する態様の少なくともいずれかを満たすものであればよい。
【００４７】
更に、本実施の形態において、現像剤収容部３４の底部のうち、磁性ロール４０の近傍で現像ロール３２の反対側には、例えばＳＵＳ３０４製の板材からなる補助規制部材５０が取り付けられており、磁性ロール４０と補助規制部材５０との間のギャップｇ2（例えば０．４〜０．８ｍｍ）は前記ギャップｇ1よりも狭く設定されている。
更にまた、磁性ロール４０には必要に応じて所定のバイアスを印加するためのバイアス電源４１が接続される。ここでいうバイアス電源４１とはトナーＴを現像ロール３２側に転移させるような電界が形成されるようなバイアスを意味する。
【００４８】
更に、トナー収容部３５には収容トナーＴが攪拌搬送せしめられるアジテータ３５１（図８参照）を有しており、このアジテータ３５１は例えば回転体に弾性フィルムを付けたもので、トナー収容部３５の底壁面に沿ってトナーＴを掃き出すようにしたものである。
そして、このトナー収容部３５の底部形状はアジテータ３５１の移動回転軌跡に沿う湾曲形状を有しており、現像剤収容部３４とトナー収容部３５との間の連結部には連通口３６が設けられ、この連通口３６の下端縁はアジテータ３５１の中心位置より僅かに低く設定されている。
一方、前記連通口３６の上端縁付近には塞き止めブロック３７が設けられており、現像剤収容部３４の現像剤Ｇがトナー収容部３５側に混入する事態が有効に防止されている。
【００４９】
更に、現像ロール３２、磁性ロール４０及びアジテータ３５１の駆動系については適宜選定して差し支えないが、例えば図９に示すように、現像ロール３２及びアジテータ３５１は、第１の駆動モータ６１及び駆動伝達系（伝達ベルト、プーリ、ギアなど）６２にて連動駆動されており、一方、磁性ロール４０は、第２の駆動モータ６３及び駆動伝達系（伝達ベルト、プーリ、ギアなど）６４にて駆動されている。
【００５０】
次に、本実施の形態に係る画像形成装置の作動を現像装置を中心に説明する。
今、図１０において、現像ロール３２上の現像剤層のトナー濃度TCが充分に高い場合を想定すると、現像ロール３２の回転に伴って現像剤Ｇが再び現像ハウジング３１に戻った場合、現像剤収容部３４中の現像剤Ｇはトナー濃度TCが高いから、透磁率が低くなり、図２（ａ）及び図３に示す現像剤挙動（流動性不良）を示す。
このとき、磁性ロール４０は現像ロール３２内の磁極ロール３２２による磁界にて磁化され、その表面に現像剤Ｇが磁気的に吸着し、磁性ロール４０の回転方向に現像剤Ｇが搬送される。
このため、磁性ロール４０の近傍に位置する現像剤Ｇが流動層Ｇ1として流動するが、その外側の多くの現像剤層が不動層Ｇ2として移動せず、現像剤溜まりが形成される。
それゆえ、トナー収容部３５からのトナーＴは現像剤Ｇ中に取り込まれることなく、現像剤溜まりのところに滞留している。
【００５１】
一方、トナーＴが急激に消費される場合を想定すると、現像ロール３２上の現像剤層のトナー濃度TCが低くなるため、現像ロール３２の回転に伴って現像剤Ｇが再び現像ハウジング３１に戻った場合、現像剤収容部３４中の現像剤Ｇはトナー濃度TCが低いから、透磁率が高くなり、図２（ｂ）及び図４に示す現像剤挙動（流動性良好）を示す。
このとき、磁性ロール４０は現像ロール３２内の磁極ロール３２２による磁界にて磁化され、その表面に現像剤Ｇが磁気的に吸着し、磁性ロール４０の回転方向に現像剤Ｇが搬送される。
このため、磁性ロール４０から離れた部分までの多くの現像剤層が流動層Ｇ1として流動するため、その外側に不動層Ｇ2が形成されない。
【００５２】
また、磁性ロール４０近傍の現像剤Ｇは、磁性ロール４０の回転に伴い、現像ロール３２と磁性ロール４０との対向部に搬送されて通過する際、搬送極Ｓ2による磁力パターンは、現像ロール３２と磁性ロール４０との対向位置Ｑよりも下流側に偏位配置されるため、磁性ロール４０の磁化分布も現像剤搬送方向下流側で強くなり、これにより、前記現像ロール３２と磁性ロール４０との対向部下流側に磁気的な吸引力が働く。
それゆえ、磁性ロール４０の周囲には現像剤Ｇに大きな回転搬送力が作用するため、トナー収容部３５からのトナーＴは回転搬送挙動の現像剤Ｇ中に逐次取り込まれることになり、磁性ロール４０の回転により搬送される現像剤Ｇ中のトナー濃度が直ちに上昇する。
【００５３】
このようにトナーＴが取り込まれた現像剤Ｇは磁性ロール４０の回転に伴って強制的に移動せしめられるが、このような回転搬送挙動の現像剤Ｇの中にトナーＴが順次拡散していき、キャリアチェーンの移動と共に充分に帯電され、現像ロール３２側へと搬送される。
それゆえ、トナー収容部３５から供給されたトナーＴは直ちに現像ロール３２側に搬送されるのではなく、充分に帯電されながら現像ロール３２側に移動していく。
よって、現像ロール３２上の現像剤層のトナー濃度は直ちに自律的に制御される。
【００５４】
特に、本実施の形態では、磁性ロール４０に補助規制部材５０が配置されており、この補助規制部材５０にて磁性ロール４０上を搬送する現像剤Ｇは層規制される。
このため、規制部材（第１の規制部材）３３で掻き落とされた現像剤Ｇと補助規制部材５０（第２の規制部材）で掻き落とされた現像剤Ｇとは溜まりを形成しており、トナー収容部３５の連通口３６から供給されるトナーＴと接触する。
このように、補助規制部材５０は有効に現像剤溜まりを形成するほか、現像ロール３２と磁性ロール４０との間での現像剤Ｇのジャミングや現像剤劣化を抑える作用や、磁性ロール４０近傍の現像剤Ｇが磁性ロール４０の回転より搬送されるが、過剰なトナーＴは磁性ロール４０上の現像剤Ｇの穂立ちを規制することで掻き落とされるため、トナーＴが現像ロール３２に直ぐに運ばれないようにし、未帯電のトナーＴによる画質ムラを防ぐ作用をする。
【００５５】
◎変形形態
また、上記実施の形態では、磁性ロール４０を用いているが、これに限られるものではなく、図１１に示すように、例えば回転可能なスリーブ８１と、このスリーブ８１内に固定的に配設される磁極ロール（磁石部材）８２とを備えた磁石ロール８０を用いるようにしてもよい。
本態様において、磁極ロール８２の磁極数や磁極配置については適宜選定しても差し支えないが、例えば２極（本例ではＳ，Ｎ）配置するようにすればよい。
また、磁石ロール８０近傍に補助規制部材５０を設けたり、スリーブ８１の表面を粗面化したり、また、このスリーブ８１に所定のバイアスを印加するためのバイアス電源８３を必要に応じて設けるようにする等、適宜選定して差し支えない。
【００５６】
本態様によれば、実施の形態１と略同様な作用を奏するが、実施の形態に比べて、磁石ロール８０はもともと磁化されており、しかも、現像ロール３２からの磁界による影響が重畳するため、この磁石ロール８０による現像剤Ｇの保持搬送力が実施の形態１よりもより強化されることになり、磁石ロール８０の回転に伴う現像剤Ｇの回転搬送挙動がより強力に現れる。
このため、現像剤Ｇ中のトナー濃度及び帯電の自律的制御はより確実に行われる。
【００５７】
◎実施の形態２
図１２は本発明が適用された画像形成装置の実施の形態２を示す説明図である。
同図において、画像形成装置は、実施の形態１と略同様（但し、規制部材３３の形状や現像剤収容部の形状は実施の形態１と若干相違する。）な現像装置３０を備えているが、この現像装置は実施の形態１と異なる塞き止めブロック３８を備えている。
この塞き止めブロック３８は下方に向かって突出する断面Ｖ字状に形成されている。
また、現像剤収容部３４の底部は斜め方向に向かう傾斜面３４１を有しており、前記塞き止めブロック３８の一方の斜面３８１と前記現像剤収容部３４の傾斜面３４１との間に斜め方向に傾斜したトナー取込路３９が形成される。
このトナー取込路３９は、トナー収容部３５からのトナーＴが自重で現像剤収容部３４へ向かう力を受けるような形状になっており、その分、トナー取込みの応答性を向上させることができる。
【００５８】
【実施例】
◎実施例
本実施例は、実施の形態２に係る現像装置を具現化したものを用い、トナーの取り込み特性を測定したものである。
本実施例のテスト条件は以下のようである。
・二成分現像剤Ｇ：
キャリアの平均粒径が３５μｍ、使用量が４０ｇ、また、トナーＴとしては磁性粉１５ｗｔ％含有の磁性トナー、トナーＴの平均粒径は１０μｍを用いた。搬送現像剤量ＭＯＳは４５〜５５ｍｇ／ｃｍ2である。
・現像ロール３２：
４極構成で、図１３に示すような磁力パターンを具備している。尚、図１３は図１２の現像ロール３２を奥側から見たときの磁力パターンである。
ＭＳＡ（Magnet Set Angle）は＋３°である。
周速は４１６ｒｐｍである。
・Ｓ２極（搬送極）：
磁性ロール４０の対向位置から磁性ロール４０回転方向下流側に、現像ロール３２中心から見て７．５°の位置に磁束密度の法線方向成分のピーク値を位置させたものであり、そのピーク磁力は６４ｍＴである。
・規制部材３３：
Ｔ／Ｇ（トリミングギャップ）は０．４ｍｍ
・磁性ロール４０：
材質ＳＵＳで、外径φ７ｍｍ、更に、サンドブラスト＃６０にてＲｚ１０〜１５μｍの粗面化処理を施す。そして、周速は９１６ｒｐｍである。
【００５９】
このような現像ロール３２において、スリーブ３２１上の磁束密度の法線方向成分、接線方向成分を測定したところ、図１４に示す結果が得られた。
ここで、磁束密度の測定器としてはガウスメータが用いられるが、例えば株式会社エーデーエス製  GAUSS METER MODEL HGM-8300LWGP（本体）、FX-95A（センサ）を用いた。
測定法としては、スリーブ３２１表面にセンサを当接し、内部のマグネットロールを３６０°回転させ、スリーブ法線方向、接線方向の磁束密度を測定するようにした。
尚、センサ、現像ロール３２は専用治具にて、センサ内のホール素子の２軸が現像ロール３２の軸線に対して夫々直角、平行となるように固定されている。
【００６０】
また、磁束密度分布は、現像ロール３２表面における法線方向と接線方向の磁束密度から磁界発生手段（磁極）の磁化分布を推定し、磁化分布から有限要素法により磁束密度分布を算出した。
更に、磁気吸引力（磁力）はキャリア粒子を比透磁率１２の粒径３５μｍの球形とし、磁気吸引力Ｆ＝（ｍ・∇）Ｂ（但し、ｍ，Ｂはベクトル）を求める数式から算出した。尚、ｍはキャリア粒子の磁気双極子モーメント〔Ａｍ2〕、Ｂは磁束密度〔Ｗｂｍ-2〕であり、粒子の比重は５ｍｇ／ｃｍ2とおいた。
【００６１】
図１４において、実線が磁力パターンのうち磁束密度の法線方向成分、点線が磁力パターンのうち磁束密度の接線方向成分を示す。
ここで、現像ロール３２と磁性ロール４０との対向位置Ｑ（図中１点鎖線で示す）は本例では２３２°の位置であり、当該対向位置Ｑでは磁束密度の接線方向成分が負の値であることが理解される。
これは、磁束密度の接線方向成分が現像ロール３２の回転方向を向いていることを示すものであり、現像ロール３２と磁性ロール４０との対向部にて現像剤Ｇの搬送を促進させるものと推測される。
【００６２】
現に、上述したテスト条件で、実施例に係る現像装置を動作させ、トナー濃度TCの時間的変化を調べたところ、図１７に示すようにトナー取込み特性が得られた。
同図においては、ｔ＝０では、現像剤収容部にはキャリアのみ、トナー収容部には４０ｇのトナーが収容された状態で、現像ロール、磁性ロール、アジテータを所定回転数で駆動させ、所定時間間隔で現像ロール上の現像剤のサンプリングを行い、ブローオフ法にて現像剤のトナー濃度TCを測定したものである。
同図によれば、トナー取込み時の立ち上がり特性が急激であり、現像装置動作開始直後には所定のトナー濃度TCに到達していることが理解される。
このことは、トナーが急激に消費され、トナー濃度TCが低下したとしても、直ちにトナーが補給されてトナー濃度TCが所定レベルに復帰することを示すものである。
【００６３】
◎比較例１
これは、Ｓ２極の配設位置以外は実施例と同様に構成されている。
ここで、Ｓ２極は、磁性ロール４０の対向位置から磁性ロール４０回転方向上流側に、現像ロール３２中心から見て２．５°の位置に磁束密度の法線方向成分のピーク値を位置させたものであり、そのピーク磁力は６４ｍＴである。
【００６４】
この比較例１についても、実施例と同様に、現像ロール３２において、スリーブ３２１上の磁束密度の法線方向成分、接線方向成分を測定したところ、図１５に示す結果が得られた。
同図において、現像ロール３２と磁性ロール４０との対向位置Ｑ（図中１点鎖線で示す）は本例では２３２°の位置であり、当該対向位置Ｑでは磁束密度の接線方向成分が正の値であることが理解される。
これは、磁束密度の接線方向成分が現像ロール３２の反回転方向を向いていることを示すものであり、現像ロール３２と磁性ロール４０との対向部にて現像剤Ｇの搬送を阻害する方向に働くものである。
【００６５】
実際に、実施例と同様のテスト条件で、比較例１に係る現像装置を動作させ、トナー濃度TCの時間的変化を調べたところ、図１８に示すようにトナー取込み特性が得られた。
これによると、比較例１は、実施例に比べて、トナーの取込み特性が遅くなることが理解される。
【００６６】
◎比較例２
これは、Ｓ２極の配設位置以外は実施例と同様に構成されている。
ここで、Ｓ２極は、磁性ロール４０の対向位置から磁性ロール４０回転方向上流側に、現像ロール３２中心から見て１０°の位置に磁束密度の法線方向成分のピーク値を位置させたものであり、そのピーク磁力は６４ｍＴである。
【００６７】
この比較例２についても、実施例と同様に、現像ロール３２において、スリーブ３２１上の磁束密度の法線方向成分、接線方向成分を測定したところ、図１６に示す結果が得られた。
同図において、現像ロール３２と磁性ロール４０との対向位置Ｑ（図中１点鎖線で示す）は本例では２３２°の位置であり、当該対向位置Ｑでは磁束密度の接線方向成分が正の値（比較例１より大きい値）であることが理解される。
これは、磁束密度の接線方向成分が現像ロール３２の反回転方向を向いていることを示すものであり、現像ロール３２と磁性ロール４０との対向部にて現像剤Ｇの搬送を阻害する方向に働くものである。
【００６８】
実際に、実施例と同様のテスト条件で、比較例２に係る現像装置を動作させ、トナー濃度TCの時間的変化を調べたところ、図１９に示すようにトナー取込み特性が得られた。
これによると、比較例２は、実施例は勿論、比較例１に比べて、トナーの取込み特性が更に悪くなることが理解される。
【００６９】
以上のように、実施例と比較例１，２を比較すれば、実施例のトナーの取込みスピードは、比較例１，２に比べ所定のトナー濃度TCに到達する立ち上がりの傾きが約５倍程度に達していることが理解される。
このことは、トナーが急激に消費され、トナー濃度TCが低下したとしても、直ちにトナーが補給されてトナー濃度TCが所定レベルに復帰することを示すものであり、実施の形態２の性能を裏付けるものである。
【００７０】
【発明の効果】
以上説明してきたように、本発明によれば、現像剤担持体に隣接し且つ規制部材の上流側に現像剤収容部を設けると共に、現像剤収容部を介して現像剤担持体に連通するトナー収容部を設け、現像剤収容部内に、現像剤担持体に接触又は近接して回転し且つ現像剤収容部内の現像剤に回転力を与えた状態でトナー収容部からのトナーが取り込まれる回転部材を設け、更に、磁界発生手段の磁極のうち、回転部材に最近接する磁極による磁力パターンを工夫することで、現像剤担持体と回転部材との対向位置を通過する現像剤に対し現像剤搬送方向へ向かう移動促進力を与えるようにしたので、以下のような基本的効果を奏する。
第一に、現像剤中のトナー濃度及び帯電の自律的制御を安定させることができる。
具体的には、急激なトナー消費があっても、回転部材によるトナー供給の応答性がよいため、現像剤担持体上の現像剤層のトナー濃度を迅速且つ正確に制御することができる。
また、回転部材近傍の現像剤に対しトナーが供給され、回転部材の回転力により現像剤中にトナーが積極的に分散されるため、急激なトナー消費に対応するトナー供給があっても、回転部材による現像剤の搬送によりトナーの摩擦帯電が充分になされ、その分、画像形成に適した帯電状態が得られる。
【００７１】
第二に、濃度ムラのない均一な現像性が得られる。
つまり、供給トナーが一旦回転部材による搬送中の現像剤中に供給されるので、帯電不良の生トナーが現像剤担持体上の現像剤層に直接的に乗ることはない。また、現像剤収容部近傍のトナーが回転部材で崩されながら取り込まれるので、現像剤中へのトナーの拡散が良好となる。
【図面の簡単な説明】
【図１】本発明に係る現像装置及びこれを用いた画像形成装置の概要を示す説明図である。
【図２】（ａ）はトナー濃度が高く透磁率が低い状態における現像装置の回転部材周辺における現像剤の挙動を示す説明図、（ｂ）はトナー濃度が低く透磁率が高い状態における現像装置の回転部材周辺における現像剤の挙動を示す説明図である。
【図３】トナー濃度が高く流動性が悪い状態における回転部材周辺の現像剤の挙動を示す拡大説明図である。
【図４】トナー濃度が低く流動性が良い状態における回転部材周辺の現像剤の挙動を示す拡大説明図である。
【図５】（ａ）は本発明に係る現像装置の現像剤担持体と回転部材との対向部周辺を示す説明図、（ｂ）は比較の態様に係る現像装置の現像剤担持体と回転部材との対向部周辺を示す説明図である。
【図６】（ａ）は接線方向の磁気吸引力Ｆt，法線方向の磁気吸引力Ｆnに関する関係式を示す説明図、（ｂ）は現像剤粒子の磁気モーメントを磁束密度に比例するとした場合の関係式を示す説明図である。
【図７】（ａ）は接線方向の磁気吸引力Ｆtと、法線方向の磁気吸引力Ｆnとを示すグラフ図、（ｂ）は図６（ｂ）の（３）式における第１項変化を示すグラフ図、（ｃ）は図６（ｂ）の（３）式における第２項変化を示すグラフ図である。
【図８】実施の形態１に係る画像形成装置の全体構成を示す説明図である
【図９】その要部拡大図である。
【図１０】本実施の形態における現像装置の駆動系を示す説明図である。
【図１１】本実施の形態に係る現像装置の変形形態を示す説明図である。
【図１２】実施の形態２に係る画像形成装置の全体構成を示す説明図である。
【図１３】実施例で用いられる現像ロールの磁極パターン例を示す説明図である。
【図１４】実施例で用いられる現像ロールの磁束密度の法線方向及び接線方向変化を示す説明図である。
【図１５】比較例１で用いられる現像ロールの磁束密度の法線方向及び接線方向変化を示す説明図である。
【図１６】比較例２で用いられる現像ロールの磁束密度の法線方向及び接線方向変化を示す説明図である。
【図１７】実施例に係る現像装置のトナー取込み特性を示す説明図である。
【図１８】比較例１に係る現像装置のトナー取込み特性を示す説明図である。
【図１９】比較例２に係る現像装置のトナー取込み特性を示す説明図である。
【符号の説明】
１…現像剤担持体，２…規制部材，３…現像剤収容部，４…トナー収容部，５…回転部材，６…補助規制部材，７…像担持体，８…現像装置，１０…磁界発生手段，１１（１１ａ〜１１ｄ）…磁極，Ｇ…二成分現像剤，Ｑ…現像剤担持体と回転部材との対向位置，Ｚ…静電潜像
【図１】
2004198661.tif 000003
【図２】
2004198661.tif 000004
【図３】
2004198661.tif 000005
【図４】
2004198661.tif 000006
【図５】
2004198661.tif 000007
【図６】
2004198661.tif 000008
【図７】
2004198661.tif 000009
【図８】
2004198661.tif 000010
【図９】
2004198661.tif 000011
【図１０】
2004198661.tif 000012
【図１１】
2004198661.tif 000013
【図１２】
2004198661.tif 000014
【図１３】
2004198661.tif 000015
【図１４】
2004198661.tif 000016
【図１５】
2004198661.tif 000017
【図１６】
2004198661.tif 000018
【図１７】
2004198661.tif 000019
【図１８】
2004198661.tif 000020
【図１９】
2004198661.tif 000021